【事件の表示】
　平成１０年特許願第３１８９３４号「文書検索方法、記憶媒体及びコンピュータシステム」拒絶査定不服審判事件〔平成１１年　８月１７日出願公開、特開平１１−２２４１４８〕について、次のとおり審決する。
【結　論】
　本件審判の請求は、成り立たない。
【理　由】
１．手続きの経緯
　　
　本願は、平成１０年１１月１０日（パリ条約による優先権主張１９９７年１１月１２日、米国（ＵＳ））の出願であって、平成１９年３月２３日付けで拒絶査定がなされ、これに対して平成１９年４月２６日に拒絶査定に対する審判が請求されるとともに、同年５月２８日付けで手続補正がなされたものである。
　　
２．平成１９年５月２８日付けの手続補正についての補正却下の決定
　　
［補正却下の決定の結論］
　　
　平成１９年５月２８日付け手続補正（以下、「本件補正」という。）を却下する。
　　
［理由］
　　
（１）補正後の本願発明
　　
　本件補正により、特許請求の範囲の請求項１は、補正後の請求項１として、次のとおり補正された。
　　
「【請求項１】　画像情報と、前記画像情報に関連付けられた時間情報とを格納する手段と、
　前記画像情報に含まれるページを表すアイコンと、前記画像情報に関連付けられた前記時間情報に関するイベントを思い出させるためのテキストである原文情報とを、前記時間情報に対応するカレンダーの位置に表示するカレンダビューを形成するカレンダビュー形成手段と
を備えたことを特徴とする画像情報処理装置。」
　　　
　上記補正は、補正前の請求項１に記載した発明を特定するために必要な事項である「カレンダビュー形成手段」について、「前記時間情報に対応する位置に、前記画像情報に含まれるページを示すアイコンを含むカレンダビューを形成する」とあるのを、「前記画像情報に含まれるページを表すアイコンと、前記画像情報に関連付けられた前記時間情報に関するイベントを思い出させるためのテキストである原文情報とを、前記時間情報に対応するカレンダーの位置に表示するカレンダビューを形成する」と限定するものであって、特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
（２）引用例
　　
　原査定の拒絶の理由に引用された特開平５−３５７３７号公報（以下、「引用例」という。）には、図面とともに、以下の事項（ア）〜（カ）が記載されている。
　　
（ア）
「【０００１】
【産業上の利用分野】この発明は、各種フアイリングシステム、特にワードプロセッサによって作成した文書を登録して検索可能にするフアイリングシステム等に適した情報検索装置に関する。
【０００２】
【従来の技術】各種の文書データを対応する日付データ（作成，登録，更新あるいは使用予定等の日付）と共にファイルメモリに登録しておき、必要に応じてその日付データに基づいて所要の文書データをファイルメモリから検索して利用できるようにした情報検索装置がある。
【０００３】従来のこの種の情報検索装置においては、登録文書の日付データの表示は、それぞれの文書ごとにタイトル項目の一つとして数値で示されるだけであり、登録文書を日付データに基づいて検索する場合には、検索条件として日付項目に対する特定月日の数値あるいは数値範囲をキーボードから入力して指定することによって実行していた。その結果得られる文書の該当件数情報は、指定した月日あるいは月日範囲の総文書数だけである。
【０００４】
【発明が解決しようとする課題】しかしながら、このような従来の情報検索装置では、日付データの視認性が悪く、各登録文書と日付との時系列的な関係を一目で確認することはできず、検索時における日付指定にも手間がかかるばかりか、その日付の記憶があいまいな場合には所要の文書をなかなか検索できないなどの問題があった。
【０００５】この発明は上記の点に鑑みてなされたものであり、ファイルメモリに登録された各文書データとその各日付データとの時系列的な関係あるいは同一日付の文書数などが一目で判るようにし、その中の所要の文書データの検索も簡単に行なえるようにすることを目的とする。さらに、各文書のユーザ（作成者，使用者など）あるいは用途も一目で判るようにし、その選択も容易にできるようにすることも目的とする。
【０００６】
【課題を解決するための手段】この発明は上記の目的を達成するため、各種の文書データを対応する日付データと共に登録するファイルメモリと、該ファイルメモリから日付データに基づいて所要の文書データを検索する手段とを備えた情報検索装置において、カレンダを表形式で表示するカレンダ表示手段と、上記ファイルメモリに登録されている各文書データを１文書ごとに１つのアイコンとして、カレンダ表示手段によって表示されるカレンダ中の各文書データに対応する日付データの日付欄にそれぞれ表示する文書アイコン表示手段とを設けたものである。
【０００７】また、この情報検索装置において、文書データをファイルメモリに登録する際に各文書のユーザ名あるいは用途を設定する手段を設け、文書アイコン表示手段がファイルメモリに登録されている各文書を前記カレンダ中の対応する日付欄に表示する際に、設定されたユーザ名あるいは用途によって異なるアイコンでそれぞれ表示するようにするとよい。」（第２頁）
　
（イ）
「【００１０】
【作用】この発明による情報検索装置は、ファイルメモリに登録されている各文書データを、１文書ごとに１つのアイコンでカレンダ中の各文書データに対応する日付データの日付欄にそれぞれ表示するので、表示されているカレンダ上の全ての月日における登録文書数を個別且つ同時に一目で確認でき、さらに登録文書の時系列の状態も視覚的に確認可能である。
【００１１】また、文書データをファイルメモリに登録する際に各文書のユーザ名あるいは用途を設定しておけば、各登録文書がカレンダ中の対応する日付欄に設定したユーザ名あるいは用途によって異なるアイコンでそれぞれ表示されるので、各文書のユーザ名あるいは用途を一目で確認することができる。そして、所要の文書データを検索する場合には、表示されたカレンダ中の日付を指定するだけで、その日付欄にアイコンで表示されている文書のデータがファイルメモリから読み出されてその内容が画像表示されるので、検索の操作性が大幅に向上する。」（第３頁）
　
（ウ）
「【００１３】
【実施例】以下、この発明の実施例を図面に基づいて具体的に説明する。図２はこの発明の一実施例を示す情報検索装置のブロック構成図である。１はキーボードで、各種機能の選択や文書データや日付データ等の入力、検索条件の設定等を行なうために使用される。２はポインティングデバイスであるマウスであり、ＣＲＴ等の表示装置３の表示画面上でマウスカーソルを移動させて日付等の検索条件を指定したり、「呼出し実行」「絞り込み」等の機能を指定するために使用される。
【００１４】５は入力制御部で、これらのキーボード１とマウス２によるデータ入力を制御する。６は文書データファイルで、作成された各文書データを１文書ごとにファイル形式で登録する。７は検索用データファイルで、文書データファイル６の各文書データの登録日付（作成日，登録日，更新日，使用予定日等）データ、ユーザ名、用途などの検索用データをファイル形式で登録する。これらの両フアイル６，７には、ハードディスク等の大容量のフアイルメモリが用いられる。
【００１５】さらに、カレンダ表示設定部８は、表示装置３にカレンダを表形式で表示するための表示データを持つと共に、文書データファイル６に登録されている各文書データを１文書ごとに１つのアイコンとして、カレンダ中の各文書データに対応する日付データの日付欄にそれぞれ表示するためのデータを作成する部分であり、出力データ制御部９及び表示装置３と共にこの発明におけるカレンダ表示手段と文書アイコン表示手段の機能を果たす。
【００１６】検索条件作成部１０は、キーボード１又はマウス２によって指定される検索条件を検索用データとして作成し、検索部１１はその作成された検索用データと検索用データフアイル７のデータとを照合して指定された文書データを検索し、それを文書データファイル６から読み出して、出力バッフア（ＲＡＭ）１２に格納する。
【００１７】出力制御部９は、カレンダ表示設定部８及び出力バッファ１２から転送されるデータに基づいて表示用画像データを作成し、表示装置３に表示させる。また必要により、その画像データを設定専用頁判定部１３を介して設定専用頁を除いてプリンタ４へ出力して紙にプリントアウトさせる。これらの各部はバスライン１４によって接続されているが、実際には図示しないＣＰＵ，プログラムＲＯＭ，データＲＡＭ等からなるマイクロコンピュータによる機能として実現される。」（第３頁）
　
（エ）
「【００１８】図１はこの実施例による登録文書のカレンダ表示例を示す。この例では、画面の最上部の左端に年号「１９９０年」と「Ｃalendar」が表示され、右側に「絞り込み」指定欄２１と「呼出し実行」指定欄２２、４種類のスクロール指定欄２３が設けられている。そして、８月の最後の週から１０月末日までのカレンダ（月，日，及び曜日）２４が表形式で表示され、登録されている各文書データが１文書ごとに１つのアイコン２５（図４に拡大して示す）として、そのカレンダ２４中の各日付欄（各文書データに対応する日付データによって決定される）にそれぞれ表示されている。
【００１９】このカレンダ表示を見れば、表示されている全ての月日における登録文書数を個別に且つ同時に確認でき、また登録文書の時系列状態も視覚的に認識することができる。例えば１９９０年９月３日には２文書、９月５日には１文書、９月７日には４文書の文書データがフアイルメモリに文書データファイル６として登録されていることが一目でわかる。
【００２０】１日に表示されるアイコンの数は８個までとし、それ以上の文書が同日に登録されている場合には、その文書数を数値で示す。例えば、１０月８日には１５文書が登録されていることがわかる。この日付は、文書の登録日，更新日，ユーザの指定日等に切り替え可能である。  このカレンダ２４の表示は、スクロール指定欄２３のいずれかの矢印をマウス２のカーソルによって指示してクリックすることにより、あるいはキーボード１のスクロールキーのいずれかを押すことにより、上方又は下方へ１週間分ずつあるいは高速でスクロールすることができる。
【００２１】そして、図で斜線を施されている欄を除いて、各欄の日付をマウス２によって指定することができ、それによって、その日付欄にアイコン２５で表示されている文書のデータを呼び出して、その内容を画像表示させることができる。例えば、９月３日の文書を呼び出したい場合には、カレンダ２４中の９月３日が表示されている矩形の欄をマウスカーソルで指示させてマウス２をクリツクすると、図４に示すようにその欄の日付を示す数字「３」が反転表示に変わる。
【００２２】次に、マウスカーソルを「呼出し実行」指定欄２２へ移動させてクリックすると、図３に示すように「呼出し実行」指定欄２２が反転表示になり、図２に示した検索部１１による検索処理が実行されて、まず一番目のアイコンに対応する文書データの内容が図５に示すように画像表示される。指定した日付の文書が複数ある（アイコンが複数個表示されている）場合に、呼出す文書を絞り込みたいときには、マウスカーソルで「絞り込み」指定欄２１を指示してクリックすると、その複数のアイコンに対応する各文書のタイトルが一覧表で表示されるので、そのタイトル項目を指定することにより呼出す文書を絞り込むことができる。」（第３頁〜第４頁）
　
（オ）
「【００２６】次に、この発明の他の実施例を説明するが、その情報検索装置としてのハード構成は図２に示した前述の実施例と同様であり、そのカレンダ表示設定部８と検索条件設定部１０及び検索部１１等の機能が幾分異なるだけであるので、図７以降の表示画面のみによって説明する。
【００２７】この実施例では、文書データをファイルメモリに登録する際に各文書のユーザ名（作成者，使用者等）あるいは用途をキーボード１から設定でき、それ検索用データファイル７に日付と共に検索用データとして登録しておく。そして、文書データファイルに登録されている各文書を前述のようにカレンダ中の対応する日付欄に表示する際に、設定されたユーザ名あるいは用途によって異なるアイコンでそれぞれ表示する。
【００２８】その表示例を図７に示す。この例では、文書の用途を示す「企」「図」「議」「報」（それぞれ企画書，図面，会議資料，報告書を意味する）等を反転表示した正方形のアイコンと、文書のユーザ名を示すハートマーク，スペートマーク等を反転表示した正方形のアイコンが用いられている。したがって、図７のカレンダ表示を見れば、例えば９月１１日には企画書が１文書だけ、９月１２日には会議資料と企画書が１文書ずつ、９月１３日には会議資料と図面と企画書が１文書ずつあることが一目で判る。
【００２９】この場合には、前実施例と同様に呼出したい文書を日付によって指定する他に、その日付欄内のアイコンによっても指定することができ、文書の絞り込みが容易になる。例えば、図７に示すカレンダ表示において、１０月１０日の文書を日付だけで指定したい場合には、図８の（ａ）に拡大して示す１０月１０日の日付欄のアイコンのない部分をマウスカーソルで指示してクリックすれば、同図の（ｂ）に示すように日付の数字「１０」が反転表示に変わり、日付が指定される。
【００３０】もし、１０月１０日の複数の文書内のスペートマークのアイコンで示すユーザ名の文書を指定したい場合には、図８の（ａ）のスペートマークのアイコンをマウスカーソルで指示してクリックすれば、同図（ｃ）に示すようにスペートマークのアイコンが非反転表示に変わり、ユーザ名（用途でもよい）が指定される。」（第４頁〜第５頁）
　
（カ）
「【００３７】
【発明の効果】以上説明してきたように、この発明よれば、情報検索装置に登録されている多数の文書を１文書ごとに１つのアイコンでカレンダ中の各日付欄にそれぞれ表示できるので、表示されているカレンダ上の全ての月日における登録文書数を個別且つ同時に一目で確認でき、さらに登録文書の時系列の状態も視覚的に確認できる。
【００３８】また、各登録文書をそのユーザ名あるいは用途によって異なるアイコンでカレンダ中の対応する日付欄にそれぞ表示することもできるので、各文書のユーザ名あるいは用途を一目で確認することができる。そして、所要の文書データを検索する場合には、表示されたカレンダ中の日付を指定するだけでよいので、検索の操作性が大幅に向上する。」（第５頁）
　　
　したがって、上記引用例には、以下の発明（以下、「引用発明」という。）が記載されている。
　　
　「画像表示される文書の文書データと、前記文書データに対応する日付データ（作成、登録、更新あるいは使用予定等の日付）とを登録するファイルメモリと、
　前記文書データのユーザ名（作成者、使用者等）あるいは用途によって異なる表示とするアイコンを、カレンダ中の前記文書データに対応する日付データの日付欄に表示し、カレンダを表形式で表示するカレンダ表示設定部と
を備えた、カレンダ中のアイコンで表示されている文書データの検索を簡単に行えるようにする情報検索装置。」　
　
（３）対比
　　
　本願補正発明と引用発明とを対比すると、引用発明に記載された「アイコン」及び「カレンダ」は、それぞれ本願補正発明における「アイコン」及び「カレンダー」に相当する。
　
　引用発明に記載された「文書データ」は、画像表示される文書のデータであるから、本願補正発明における「画像情報」に相当する。
　
　引用発明に記載された、前記文書データに対応する「日付データ」は、前記文書データの作成、登録、更新あるいは使用予定等の日付のデータであるから、本願補正発明における、前記画像情報に関連付けられた「時間情報」に相当する。
　
　引用発明に記載された「ファイルメモリ」は、前記文書データと、日付データを登録するものであるから、本願補正発明に記載された、画像情報と、前記画像情報に関連付けられた時間情報とを格納する「手段」に相当する。
　
　引用発明に記載されたアイコンは、前記文書データのユーザ名（作成者、使用者等）あるいは用途によって異なる表示とすることから、本願補正発明に記載された、画像情報に含まれるページを表すアイコンとは、「画像情報を表すアイコン」である点で一致する。
　
　引用発明に記載された「カレンダ表示設定部」は、前記アイコンを、カレンダ中の前記文書データに対応する日付データの日付欄に表示して、カレンダを表形式で表示するものであるから、本願補正発明における、前記アイコンを、前記時間情報に対応するカレンダーの位置に表示するカレンダビューを形成する「カレンダビュー形成手段」に相当する。
　
　引用発明に記載された「情報検索装置」は、カレンダ中のアイコンで表示されている文書データの検索を簡単に行えるようにする処理装置であることから、本願補正発明における「画像情報処理装置」に相当する。
　　
　以上のことから、本願補正発明と引用発明は、以下の点で一致ないし相違する。
　　
＜一致点＞
　「画像情報と、前記画像情報に関連付けられた時間情報とを格納する手段と、
　前記画像情報を表すアイコンを、前記時間情報に対応するカレンダーの位置に表示するカレンダビューを形成するカレンダビュー形成手段と
を備えたことを特徴とする画像情報処理装置。」
　　
＜相違点＞
　相違点１
　画像情報を表すアイコンは、本願補正発明では、画像情報に含まれるページを表すのに対し、引用発明では、画像情報のユーザ名（作成者、使用者等）あるいは用途を表示する点。
　
　相違点２
　カレンダビュー形成手段が、画像情報を表すアイコン以外に、時間情報に対応するカレンダーの位置に表示するものとして、本願補正発明では、画像情報に関連付けられた時間情報に関するイベントを思い出させるためのテキストである原文情報を表示するのに対し、引用発明には、そのような原文情報を表示することは記載されていない点。
　
（４）当審の判断
　
　上記相違点について検討する。
　　
　相違点１について
　原査定時に周知文献として挙げられた特開平７−１６０４６６号公報（以下、「周知例１」という。）には、図面とともに、以下の記載（キ）〜（ク）がされている。
　
（キ）
「【０００３】
【発明が解決しようとする課題】例えば文書ファイルの場合にアイコンで指定されるファイルの内容をアイコンから知るには、アイコンと共に表示されるファイル名、もしくはそのファイルのタイトル名から類推しなければならなかった。また、音声ファイルの場合、その音声が符号化された方式、もしくは、その音声を符号化したアプリケーションによりアイコンの画像が決められるので、上記の場合と同様にアイコンからはそのファイルの内容を確認することが困難であった。また、それらのファイルの内容を見るにはそれぞれのファイルの拡張子に対応したアプリケーションを起動しなければならず、画像データのようにデータ量の巨大なフアイルでは内容の表示まで長い時間が必要であった。
【０００４】本発明は、上記不都合に鑑みてなされたものであり、アイコンの画像に、そのアイコンで指定されるファイルの内容を示す情報を抽出して持たせることにより、ファイルの識別を容易に行うことを目的とする。」（第２頁）
　
（ク）
「【００１６】一方、システムに入力されるデータ３１が文書データ、画像データ等の場合、特徴抽出部３２の一構成例は図５の３２ｂの様になる。図５におけるデータ３１ｂは文書のみを含むデータ、画像（静止画、図形）のみを含むデータ、文書、画像が混在するデータ、苦しくはその他を含むマルチメディアデータが混在しているデータのいずれでもよい。また、動画の場合は、任意の場面の任意のエリアを指定すれば、画像データと同様に扱うことができる。図５において、ビットマップデータ作成部５１は、データ３１ｂを作成したアプリケーションソフトをバックグラウンドで起動し、その１ページ目をモニタ７に表示する（図８（ａ））。そこで、オペレータがアイコン用の画像に用いたい範囲をポインティングデバイス１１により指定する。もし、１ページ目以外のページを用いてアイコン用の画像を作成したいときは「次のページ」苦しくは「前のページ」の２つのボタン８３、８４をポインティングデバイス１１でクリックすることによりバックグラウンドで起動しているアプリケーションプログラムに指定したページを表示させ、任意の範囲をポインティングデバイス１１で指定する。ビットマップデータ作成部５１は、上記指定した範囲のビットマップデータを作成し、メモリ上に設けられたビットマップデータ格納メモリに格納する。画像縮小部５２では、上記ビットマップデータ格納メモリに格納された画像データをアイコン用縮小画像の大きさになるようにデータを間引いて縮小画像データを作成し、縮小画像メモリ５３に格納する。例えば、ＡＳ４文書の任意の部分のアイコン用縮小画像を作成する場合を考える。なお、アイコン用の縮小画像の大きさは（４８×４８）ピクセルとする。まず、上記説明した様に、文書の任意の部分をマウス１１により指定し（図８（ａ））、その指定した領域８２のビットマップデータを作成する。本実施例では、指定した領域８２の大きさが（２４０×２４０）ピクセルであるとして説明するが、選択する部分の大きさは任意であり、矩形でなくてもよい。これを元に（４８×４８）ピクセルの縮小画像データを作成するが、２４０÷４８＝５より、図９のように、選択範囲の縦、横それぞれ５ピクセル毎の値を用いて縮小画像を作成すると、縮小画像８５のようになる。このデータを縮小画像メモリ５３に格納する。縮小画像メモリ５３に格納されているデータはアイコン用の画像データとしてアイコン作成部３に転送される。
【００１７】以上、一連の処理により、データ３１ｂの特徴が反映されたアイコン用の縮小画像が作成される。」（第４頁）
　
　また、特開平３−４８９２７号公報（以下、「周知例２」という。）には、図面とともに、以下の記載（ケ）〜（コ）がされている。
　
（ケ）
「［発明が解決しようとする課題］
アイコン化の手法については各装置により工夫されているが、従来は、複数アイコン化されているドキュメントの内容を区別するのは、ユーザ（使用者）が付けるタイトルだけであった。また、複数のワークステーションなどがネットワークで接続されている場合、それらのドキュメントをネットワークで共有することもあり、他の人によって同じタイトルのアイコンが重複することが考えられる。
従って、これらをユーザが区別するには、結局アイコンを元のドキュメントの表示形式にし、直接内容を見る以外に方法がなかった。
このように従来のアイコン表示では、数文字で構成されるタイトルによって内容の識別を行おうとしていたため、ユーザがタイトルと内容との関係を忘れてしまった場合、タイトル名が重複した場合など、ドキュメント内容を直接見て内容を判断しなければならないことが度々あり使い勝手の悪いものであった。
本発明は上記問題点に鑑みなされたものであり、ドキュメントのアイコンにおいて、ドキュメントの内容の識別性をより高めるアイコン表示制御方式を促供することを目的とする。」（第２頁左下欄第６行〜同頁右下欄第１０行）
　　
（コ）
「［課題を解決するための手段］
本発明によれば、上述の目的は、前記特許請求の範囲に記載した手段により達成される。
すなわち、本発明は、請求項１記載の発明については、
文書処理機能を有する情報処理システムであって、該情報処理システム中で処理される文書に対しては、該文書をアイコン化してディスプレイ画面上に表示する機能を有する情報処理システムのアイコン制御方式において、
処理される文書に対してアイコンを作成する場合に、ディスプレイ画面に表示された文書中の任意の範囲を指定する手段と、上記指定手段により、文書中の任意の範囲を指定された場合には、該指定された範囲を縮小してアイコンを作成し、文章中の任意の範囲が指定されなかった場合には、ディスプレイ画面上の文書全体を縮小してアイコンを作成する手段とを設け、処理文書の特徴を表わすアイコンを作成し表示する情報処理システムのアイコン表示制御方式である。」（第２頁右下欄第１１行〜第３頁左上欄第１２行）
　
　すなわち、上記周知例１及び周知例２の記載にあるように、文書を示すアイコンの識別性を高めるため、文書に含まれるページの内容をアイコンに持たせる技術は、周知技術である。
　そして、引用発明に記載された文書データを表示するアイコンにおいて、当該周知技術を適用し、本願補正発明と同様に、画像情報に含まれるページを表すアイコンとすることは、当業者が容易に想到し得ることである。
　
　相違点２について
　特開平８−２６３５１６号公報（以下、「周知例３」という。）には、図面とともに、以下の記載（サ）〜（ス）がされている。
　
（サ）
「【０００５】テキストデータを記憶するメモリに格納されているデータの一例として、スケジュールデータが挙げられる。近年、個人のスケジュールを管理するためのアプリケーション（一般的にスケジューラと呼ばれている）が数多く開発されている。
【０００６】これらのスケジューラの一例を以下に説明する。
【０００７】スケジューラにおいて、スケジュールは「イベント」の集合体として扱われている。一般的に、イベントは以下のような情報を有している。
【０００８】
・イベント名：  イベントの名前を示す文字列
・場所：        イベントが起こる場所を示す文字列
・時刻１：      イベントの始まる年月日時分秒
・時刻２：      イベントの終了する年月日時分秒
・詳細：        イベントの詳細を示す文字列
ユーザはこれらの項目を入力してイベントを作成し、スケジュールに登録する。入力されたイベントはデータ格納手段に記憶されており、後に自己の予定を確認するために用いられる。イベントの中で、イベント名、場所、詳細の各フィールドはテキストデータであり、複数の単語を含むことができる。日常的にスケジュール管理装置に対して、自己のスケジュールをテキスト入力しているユーザにとって、その個人がある一日のうちで必要とする情報はスケジュール管理装置に入力したその一日のスケジュールデータ（テキストデータ）と密接に関係しているはずである。」（第３頁）
　
（シ）
「【００１２】
【課題を解決するための手段】上記目的を達成するために本発明の情報検索装置は以下のような構成を備える。即ち、データファイルより所望のデータを検索して読み出す情報検索装置であって、入力されたテキストデータを記憶する記憶手段と、検索用キーワードの抽出を指示する指示手段と、前記指示手段による指示に応答して、前記記憶手段に記憶されているテキストデータより検索に用いるキーワードを自動的に抽出するキーワード抽出手段と、前記キーワード抽出手段によって抽出されたキーワードに基づいて前記データファイルを検索する検索手段とを有する。
【００１３】上記目的を達成するために本発明の情報検索方法は以下のような工程を備える。即ち、データファイルより所望のデータを検索して読み出す情報検索方法であって、入力されたテキストデータを記憶する工程と、検索用キーワードの抽出を指示する工程と、前記指示に応答して、記憶されているテキストデータより検索に用いるキーワードを自動的に抽出する抽出工程と、前記抽出されたキーワードに基づいて前記データファイルを検索する工程とを有する。
【００１４】
【作用】以上の構成において、指示手段により、検索用キーワードの抽出が指示されると、その指示に応答して、その入力されたテキストデータを記憶する記憶手段に記憶されているテキストデータより、検索に用いるキーワードを自動的に抽出する。こうして抽出されたキーワードに基づいてデータファイルを検索するように動作する。」（第３頁）
　
（ス）
「【００３３】図４は、本実施例の情報機器の表示手段６０４に表示される基本グラフィカルユーザーインターフェース（ＧＵＩ１）の一例を示す図である。
【００３４】図４に示すように、ＧＵＩ１はカレンダの体裁をなしている。本実施例の情報機器を立ちあげると、その立ち上げた日付を含むカレンダが表示される。本実施例においては、１９９４年３月２４日に、この情報機器が立ち上げられたものとしており、１９９４年３月のカレンダが表示されている。
【００３５】図４において、２０１はカレンダの外枠を示し、フレーム２０２は一日の単位を示し、日付と、その日付にイベントが存在すれば、そのフレーム２０２にそのイベント名が表示される。フレーム２０８は、この機器が立ち上げられた日付、即ち、１９９４年３月２４日が選択されていることを示している。この情報機器が立ち上げられて初めてＧＵＩ１が表示される時には、このように２４日が選択された状態となるが、ユーザはマウスカーソルを任意の日付に持ってゆき、そこでマスクのボタンをクリックすることによって、任意の日付を選択することができる。
【００３６】PrevMonthボタン２０３をクリックすると、ＧＵＩ１は前の月のカレンダの表示に変更される。またNextMonthボタン２０４をクリックすると、次に付のカレンダ表示に変更される。また、PrevYearボタン２０５をクリックすると、ＧＵＩ１は前年度同月のカレンダに、NextYearボタン２０６をクリックすると、次年度同月のカレンダ表示に変更される。Find MM Dataボタン２０７については後述する。」（第５頁）
　
　また、特開平９−２１２４６１号公報（以下、「周知例４」という。）には、図面とともに、以下の記載（セ）がされている。
　
（セ）
「【００３６】Ｂ．オペレーション：次に、本発明の作用について説明する。
Ｂ−１．個人情報データベース
本発明は、ある側面から略言すれば、ホスト・マシン２００で編集した転送データのうち、所定の抽出条件に適ったレコードのみを選択的に抽出して、ＰＣカード１００側にダウンロードする、というものである。本実施例では、Ｌｏｔｕｓ＿オーガナイザーのようなＰＩＭソフトによって編集した個人情報（とりわけダイヤリーやＴＯＤＯなどの日付情報を含んだデータ）をＰＣカード１００側に転送する場合に特化して議論することにする。そこで、この項では、Ｌｏｔｕｓ＿オーガナイザーの機能や、編集した個人情報の性質等の、本実施例の前提となる事柄について説明しておく。
【００３７】Ｌｏｔｕｓ＿オーガナイザーは、既に述べたように、個人情報を管理するためのＰＩＭソフトの１つであり、スケジュール、住所録、備忘録など各種機能を備えている。
【００３８】ＧＵＩ（グラフィカル・ユーザ・インターフェース）環境下では、Ｌｏｔｕｓ＿オーガナイザーを始めとする各種アプリケーション・プログラムはアイコン登録され、ディスプレイ２８のウインドウ画面上に表示されている。例えばＬｏｔｕｓ＿オーガナイザー・アイコンをダブル・クリックすることによって、Ｌｏｔｕｓ＿オーガナイザーが起動する。図２、図８及び図９には、Ｌｏｔｕｓ＿オーガナイザー  Ｒ２Ｊによって生成されたカレンダー画面を示している。該画面は、バインダで閉じられたシステム手帳を模してデザインされており、１日、１週間、１ヶ月、１年等の単位でスケジュールを表示し、入力作業を行えるようになっている（同図は１ヶ月単位で表示した例）。カレンダの各日付欄には、イベントやジョブが表示されている（例えば１月１２日の欄に１４時に記述された『予防接種』など）。」（第５頁）
　
　すなわち、上記周知例３及び周知例４の記載にあるように、カレンダの日付欄にイベント名、時間等を入力して表示する技術は周知技術である。ここで、イベント名、時間等はイベントを思い出させるために用いられるものであることは明らかであり、また、上記周知例３及び周知例４におけるイベントが、テキストの情報として表示されていることは図面を見ても明らかである。
　そして、引用発明に記載されたカレンダ表示設定部において、カレンダ中の文書データに対応する日付データの日付欄に表示するものとして、カレンダの日付欄にイベント名、時間等を入力することにより、当該日付におけるイベントを表示する上記周知技術を用いて、本願補正発明と同様に、画像情報に関連付けられた時間情報に関するイベントを思い出させるためのテキストである原文情報を表示するように構成することは、当業者が容易に想到し得ることである。
　　
　また、本願補正発明のように構成したことによる効果も、上記引用発明及び周知技術から予測できる程度のものである。
　　
　よって、本願補正発明は、前記引用発明、前記周知例１並びに２に記載された周知技術、及び前記周知例３並びに４に記載された周知技術に基づいて当業者が容易に発明をすることができたものであるから、特許法第２９条第２項の規定により特許を受けることができない。
　　
（５）むすび
　　
　したがって、本願補正発明は、上記（４）で示したとおり、特許出願の際独立して特許を受けることができないから、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項において読み替えて準用する同法第５３条第１項の規定により却下すべきものである。
　　　　
３．本願発明
　　
　平成１９年５月２８日付けの手続補正は上記のとおり却下されたので、本願の請求項１に係る発明（以下、「本願発明」という。）は、平成１８年１月２３日付け手続補正書の特許請求の範囲の請求項１に記載された事項により特定される、以下のとおりのものである。
　　
「【請求項１】　画像情報と、前記画像情報に関連付けられた時間情報とを格納する手段と、
　前記時間情報に対応する位置に、前記画像情報に含まれるページを示すアイコンを含むカレンダビューを形成するカレンダビュー形成手段と
を備えたことを特徴とする画像情報処理装置。」
　　
４．当審の判断
　　
（１）引用例
　　　
　原査定の拒絶の理由に引用された引用例に関する記載事項は、前記「２．（２）」に記載したとおりである。
　　
（２）対比・判断
　　
　本願発明は、前記２．で検討した本願補正発明における「カレンダビュー形成手段」について、「前記画像情報に含まれるページを表すアイコンと、前記画像情報に関連付けられた前記時間情報に関するイベントを思い出させるためのテキストである原文情報とを、前記時間情報に対応するカレンダーの位置に表示するカレンダビューを形成する」との記載を、「前記時間情報に対応する位置に、前記画像情報に含まれるページを示すアイコンを含むカレンダビューを形成する」と記載したことにより限定を省いたものである。
　
　そうすると、本願発明の構成要件を全て含み、さらに他の構成要件を付加したものに相当する本願補正発明が、前記「２．（４）」に記載したとおり、前記引用発明、前記周知例１並びに２に記載された周知技術、及び前記周知例３並びに４に記載された周知技術に基づいて、当業者が容易に発明をすることができたものであるから、本願発明も、同様の理由により、前記引用発明、前記周知例１並びに２に記載された周知技術、及び前記周知例３並びに４に記載された周知技術に基づいて、当業者が容易に発明をすることができたものである。
　　
５．むすび
　　
　以上のとおり　本願発明は、前記引用発明、前記周知例１並びに２に記載された周知技術、及び前記周知例３並びに４に記載された周知技術に基づいて、当業者が容易に発明をすることができたものであるから、特許法第２９条第２項の規定により特許を受けることができない。
　したがって、本願は、他の請求項について論及するまでもなく、拒絶すべきものである。
　　
　よって結論のとおり審決する。